(57)【特許請求の範囲】
【請求項１】
ポータブル除細動器に対する動き感知コミュニケータにおいて、前記ポータブル除細動器が、前記コミュニケータを支持し、前記動き感知コミュニケータが、
無線電話、動きセンサ及びバッテリのアセンブリ、
を有し、
前記動きセンサが、前記ポータブル除細動器の移動の感知に応答して前記バッテリを前記無線電話に電力結合し、
前記無線電話に対する前記バッテリの電力結合が、前記無線電話を自動的に起動して無線ネットワークに登録し、
前記無線電話の起動は、前記無線電話が前記無線電話の手動起動に応答して前記無線ネットワーク上で緊急サービスセンタに対する呼出しを実行することを可能にし、
前記バッテリが、前記無線電話に対する前記バッテリの電力結合により開始された時間期間内に前記緊急サービスセンタに対する前記無線電話からの呼出しが存在しないことに応答して前記無線電話から電力分離される、
動き感知コミュニケータ。
【請求項２】
前記動きセンサが、加速度計を含む、請求項１に記載の動き感知コミュニケータ。
【請求項３】
前記バッテリを前記無線電話に接続するように前記動きセンサにより動作可能なスイッチ、
を有する、請求項１に記載の動き感知コミュニケータ。
【請求項４】
前記無線電話が、携帯電話であり、
前記無線ネットワークが、セルラネットワークである、
請求項１に記載の動き感知コミュニケータ。
【請求項５】
前記無線電話が、前記動き感知コミュニケータのグローバルな場所を検出する、請求項１に記載の動き感知コミュニケータ。
【請求項６】
ハウジングに囲まれたポータブル除細動器と、
前記ハウジングにより支持された動き感知コミュニケータであって、無線電話、動きセンサ及びバッテリのアセンブリを含む、当該動き感知コミュニケータと、
を有する除細動装置において、
前記動きセンサが、前記ポータブル除細動器の移動の感知に応答して前記バッテリを前記無線電話に電力結合し、
前記無線電話に対する前記バッテリの電力結合が、前記無線電話を自動的に起動して無線ネットワークに登録し、
前記無線電話の起動は、前記無線電話が前記無線電話の手動起動に応答して前記無線ネットワーク上で緊急サービスセンタに対する呼出しを実行することを可能にし、
前記バッテリが、前記無線電話に対する前記バッテリの電力結合により開始された時間期間内に前記緊急サービスセンタに対する前記無線電話からの呼出しが存在しないことに応答して前記無線電話から電力分離される、
除細動装置。
【請求項７】
前記動きセンサが、加速度計を含む、請求項６に記載の除細動装置。
【請求項８】
前記動き感知コミュニケータが、前記バッテリを前記無線電話に選択的に接続するように前記動きセンサにより動作可能なスイッチを含む、請求項６に記載の除細動装置。
【請求項９】
前記無線電話が、携帯電話であり、
前記無線ネットワークが、セルラネットワークである、
請求項６に記載の除細動装置。
【請求項１０】
前記無線電話が、前記動き感知コミュニケータのグローバルな場所を検出する、請求項６に記載の除細動装置。
【請求項１１】
前記ポータブル除細動器が、患者の心拍の電気活動を測定するように動作可能な心電図モニタを含む、請求項６に記載の除細動装置。
【請求項１２】
前記ポータブル除細動器が、患者の心拍の電気活動の測定に応答して前記患者の心臓に対する電気エネルギの伝達を制御するように動作可能な除細動コントローラを含む、請求項６に記載の除細動装置。
【請求項１３】
前記ポータブル除細動器が、患者の心臓に電気エネルギを伝達するように動作可能なショック電源を含む、請求項６に記載の除細動装置。
【発明の詳細な説明】
【技術分野】
【０００１】
本発明は、一般に、自動体外式除細動器（ＡＥＤ）に関する。本発明は、具体的には、緊急サービスセンタに対する呼び出しを実行するポータブルＡＥＤコミュニケータの起動（actuation）に関する。
【背景技術】
【０００２】
当技術分野において既知であるように、ポータブルＡＥＤのコミュニケータは、突然の心臓停止又は他の危機的人命救助事象を経験している患者に対する前記ＡＥＤのオペレータによる使用中の緊急サービスセンタに対する前記ＡＥＤのオペレータによる無線呼出しに対する救助ボタンを採用する。この無線呼出しは、前記緊急サービスセンタにおける訓練された専門家が前記ＡＥＤのオペレータに口頭の援助を提供し、更に必要であれば緊急サービスにコンタクトすることを可能にする。しかしながら、前記コミュニケータは、２つの対立する要件を持つ。
【０００３】
具体的には、前記コミュニケータの第１の要件は、各秒が前記ＡＥＤによる前記患者の心拍回復の違いを生じる可能性があることを考慮した起動後の前記緊急サービスセンタに対する即時の無線呼出しである。前記コミュニケータの第２の要件は、特に前記ポータブルＡＥＤが患者のために動作されていない（例えば、前記ポータブルＡＥＤが棚に置かれている）場合、バッテリ（例えば内部バッテリ又は外部電源）における不要な流出を防ぐことである。前記コミュニケータのこれら２つの要件の間の対立は、前記コミュニケータがバッテリ寿命を節約するために電源を切られた状態からオンにされる場合に電源を入れ、電源を入れられると前記緊急サービスセンタに関連付けられた無線ネットワーク（例えば、セルラネットワーク）を見つけ、登録に成功するのに必要な時間期間から生じる。現在の無線技術の下で、この時間期間は、３０秒を超過しえ、これは、突然の心臓停止を経験している患者又は他の危機的人命救助事象に対して許容できない長い時間である。
【発明の概要】
【発明が解決しようとする課題】
【０００４】
本発明は、コミュニケータのバッテリの寿命（少なくとも４年）を最大化しながら前記ＡＥＤのオペレータを前記緊急サービスセンタに接続する時間を最小化する動き感知コミュニケータを提供することにより前記コミュニケータの前記対立する要件に対処する。
【課題を解決するための手段】
【０００５】
本発明の一形式は、無線電話、動きセンサ及びバッテリのアセンブリを採用する動き感知コミュニケータである。動作において、動きセンサは、前記コミュニケータを支えるポータブル除細動器の移動の感知に応答して前記バッテリを前記無線電話に電力結合する。前記無線電話（例えば、携帯電話）に対する前記バッテリの電力結合は、前記無線電話を自動的に起動して無線ネットワーク（例えば、セルラネットワーク）に登録し、前記無線電話の起動は、前記無線電話が前記無線電話の手動起動に応答して前記無線ネットワーク上で緊急サービスセンタに対する呼出しを実行することを可能にする。
【０００６】
更なる動作により、前記バッテリは、前記無線電話に対する前記バッテリの電力結合により開始される時間期間内に前記緊急サービスセンタに対する前記無線電話からの呼出しの不在に応答して前記無線電話から電力分離される。
【０００７】
本発明の第２の形式は、前述の動き感知コミュニケータを支持するハウジング（例えば、前記コミュニケータが前記ハウジング内に取り付けられる又はスロットに入れられる）に囲まれた前記ポータブル除細動器を採用する除細動装置である。
【０００８】
本発明の前述の形式及び他の形式並びに本発明の様々なフィーチャ及び利点は、添付の図面と併せて読まれる本発明の様々な実施例の以下の詳細な記載から更に明らかになる。詳細な記載及び図面は、本発明を限定するのではなく、単に説明し、本発明の範囲は、添付の請求項及び同等物により規定される。
【図面の簡単な説明】
【０００９】
【図１】本発明によるコミュニケータ及び除細動器の典型的な実施例を示す。
【図２】本発明による図１のコミュニケータを支持する除細動器ハウジングの典型的な実施例を示す。
【図３】本発明による典型的なコミュニケータ電源オン接続方法を表すフローチャートを示す。
【発明を実施するための形態】
【００１０】
本発明の理解を容易化するために、手持ち式移動又は車輪を介する平行移動等を含むがこれらに限定されない様々なモードにより移動可能なポータブル除細動器と関連付けられたコミュニケータを対象とする、本発明の典型的な実施例が、ここに提供される。
【００１１】
図１を参照すると、本発明のポータブル除細動器２０は、電極パッド又はパドルの対２１、オプションのＥＣＧリード２２、ＥＣＧモニタ２３（内部又は外部）、除細動コントローラ２４、及びショック電源２５を採用する。
【００１２】
電極パッド／パドル２１は、当技術分野において既知であるように図１に示される前尖（anterior-apex）配置又は（図示されない）前後（anterior-posterior）配置で患者１０に導電的に付着されるように構造的に構成される。電極パッド／パドル２１は、ショック電源２５から患者１０の心臓１１に除細動ショックを伝導し、患者１０の心臓１１の電気活動を表す（図示されない）ＥＣＧ信号をＥＣＧモニタ２３に伝導する。代わりに又は同時に、ＥＣＧリード２２は、当技術分野において既知であるように前記ＥＣＧ信号をＥＣＧモニタ２３に伝導するように患者１０に接続される。
【００１３】
ＥＣＧモニタ２３は、当技術分野において既知であるように患者１０が規則正しい（organized）心拍状況又は規則正しくない心拍状況を経験しているインジケータとして患者１０の心臓１１の電気活動を測定するように前記ＥＣＧ信号を処理するように構造的に構成される。規則正しい心拍状況を示す前記ＥＣＧ信号の一例は、血液を送り出すことができる患者１０の心臓１１の心室の規則正しい収縮を表すＥＣＧ波形３０ａである。規則正しくない心拍状況を示す前記ＥＣＧ信号の一例は、患者１０の心臓１１の心室細動を表すＥＣＧ波形３０ｂである。
【００１４】
ショック電源２５は、当技術分野において既知であるように、除細動コントローラ２４により制御されるように患者１０の心臓１１に対する電極パッド／パドル２１を介した除細動ショック３２の伝達に対する電気エネルギを蓄積するように構造的に構成される。実際に、除細動ショック３１は、当技術分野において既知であるいかなる波形をも持ちうる。このような波形の例は、図１に示されるように単相正弦波形（正の正弦波）３１ａ及び二相切断（truncated）波形３１ｂを含むが、これらに限定されない。
【００１５】
一実施例において、ショック電源２５は、充電ボタン２６を押すと高電圧チャージャ及び電源を介して高電圧を蓄積する高電圧キャパシタバンク（図示されない）を採用する。ショック電源２５は、除細動コントローラ２４により制御されるように前記高電圧キャパシタバンクからの特定の波形の電気エネルギチャージを電極パッド／パドル２１に選択的に印加する切り替え／分離回路（図示されない）を更に採用する。
【００１６】
除細動コントローラ２４は、当技術分野において既知であるようにショックボタン２７による手動電気的除細動及び／又は自動電気的除細動を実行するように構造的に構成される。実際に、除細動コントローラ２４は、除細動コントローラ２４内にソフトウェア／ファームウェアとしてインストールされた手動及び／又は自動電気的除細動を実行するハードウェア／回路（例えば、プロセッサ、メモリ等）を採用する。
【００１７】
更に図１を参照すると、本発明の動き感知コミュニケータ４０は、無線電話４１、動きセンサ４４及び内部バッテリ４５を採用する。
【００１８】
無線電話４１は、当技術分野において既知であるように、バッテリ４５に対する接続後に自動的に起動され、電話起動装置４３（例えば、救助ボタン）を介して無線電話４１の手動起動後に指定された宛先に対する無線ネットワーク上の電話呼出しを実行するように構造的に構成される。実際に、無線電話４１は、グローバル位置特定機能（例えば、ＧＰＳモジュール４２）を含みうる。一実施例において、無線電話４１は、呼出しボタンによる携帯電話の手動起動後に指摘された宛先に対するセルラネットワーク上の電話呼出しを実行することができる携帯電話である。
【００１９】
動きセンサ４４は、当技術分野において既知であるように地球の表面に対する対象の動きを検出するように構造的に構成される。一実施例において、動きセンサ４４は、加速度計である。
【００２０】
バッテリ４５は、バッテリ４５に接続された電子装置（例えば、無線電話４１）に電力供給するように構造的に構成される。一実施例において、バッテリ４５は、リチウムマンガン化合物の再充電不可能な一次バッテリである。バッテリ４５の他の実施例は、再充電可能バッテリである。バッテリ４５の他の実施例は、除細動器バッテリ電源自体であり、したがって、ポータブル除細動器２０と共有される電源である。
【００２１】
本発明の目的に対して、動きセンサ４４は、更に、ポータブル除細動器２０の移動の動きセンサ４４による検出に応答してバッテリ４５を無線電話４１に電力結合するように構造的に構成される。一実施例において、図２に示されるように、ポータブル除細動器２０（図示されない）は、表示画面５１を持つハウジング５０により囲まれる。コミュニケータ４０は、図２に示されるようなハウジング５０に対するコミュニケータ４０の取り付け又はハウジング５０のスロット内のコミュニケータ４０の配置を含むがこれらに限定されない様々な既知のモードでハウジング５０により支持される。ハウジング５０によるコミュニケータ４０の支持は、ポータブル除細動器２０の移動の動きセンサ４４による検出を容易化する。
【００２２】
実際に、無線電話４１に対するバッテリ４５の電力結合は、様々なモードで実行されうる。図１に示される一実施例において、コミュニケータ４０は、バッテリ（ＢＡＴ）４５を無線電話（ＷＰ）４１に電力結合するように動きセンサ（ＭＳ）４４により制御可能であり、無線電話４１からバッテリ４５を電力分離するように無線電話４１により制御可能であるスイッチ（ＳＷ）４６を採用する。
【００２３】
図３は、図２に示されたコミュニケータ４０の動作方法を表すフローチャート６０を示す。
【００２４】
特に、フローチャート６０の段Ｓ６１は、スイッチ４６の開放による無線電話４１からのバッテリ４５の電力分離による無線電話４１の最初の停止（deactivation）を含む。
【００２５】
フローチャート６０の段Ｓ６２は、動きセンサ４４がハウジング５０の動きを介してポータブル除細動器２０の移動についてコミュニケータ４０を連続的に監視することを含む。
【００２６】
動きセンサ４４がポータブル除細動器２０の移動を感知すると、フローチャート６０の段Ｓ６３は、スイッチ４６の閉鎖による無線電話４１に対するバッテリ４５の電力結合により（図２に示されない）無線ネットワークに登録する無線電話４１の自動起動を含み、フローチャートの段Ｓ６４は、無線電話４１が（図２に示されない）緊急サービスセンタに対する呼出しを実行する時間期間を開始することを含む。
【００２７】
フローチャート６０の段Ｓ６５は、無線電話４１が緊急サービスセンタを呼び出すように現在の時間期間内に起動したかどうかを試験するように設計される。無線電話４１が、現在の時間期間中に起動されている場合、段Ｓ６５は、無線電話４１が前記緊急サービスセンタに対する無線電話４１による呼出しの終了後に前記時間期間を再開するために段Ｓ６４に戻ることを含む。無線電話４１が、現在の時間期間中に起動されていない場合、段Ｓ６５は、スイッチ４６の再閉鎖による無線電話４１からのバッテリ４５の電力分離により無線電話４１を停止するために段６１に戻ることを含む。
【００２８】
フローチャート６０は、適宜に段Ｓ６１乃至Ｓ６５によって一貫して進み、これによりバッテリ４５は、バッテリ４５の寿命（例えば、少なくとも４年）を最大化しながら前記緊急サービスセンタに対してポータブル除細動器２０のオペレータを接続する時間を最小化するように設計された様式で無線電話４１に電力結合／分離される。
【００２９】
本発明の様々な実施例が図示及び記載されたが、ここに記載された本発明の実施例が例示的であり、本発明の真の範囲から逸脱することなしに様々な変更及び修正が行われてもよく、同等物が要素と置き換えられてもよいと当業者により理解される。加えて、多くの修正は、中心的範囲から逸脱することなしに本発明の教示を適用するように行われてもよい。したがって、本発明は、本発明を実行するように考えられたベストモードとして開示された特定の実施例に限定されず、本発明が、添付の請求項の範囲に入る全ての実施例を含むと意図される。
【図１】
0006544834.tif 000002
【図２】
0006544834.tif 000003
【図３】
0006544834.tif 000004